(57)【要約】【課題】知りたい遮音効果をユーザーにストレスを感じさせることなく直感的にわかりやすく体感してもらうことができる、遮音効果体感の方法、装置、プログラム、記憶媒体及び伝送媒体を提供する。【解決手段】コンピュータと画像表示装置と音響再生装置を含む電子機器を用いることによって、住宅プランを画像表示装置の画面上に表示し、固有音量の音情報が関連付けられている部位を選択し、該選択された固有音量の音情報が関連付けられている部位の固有音量の音情報を音響再生装置に送り、該音情報にしたがって音響再生装置から前記固有音量の音を再生させることにより、遮音材の遮音効果を体感してもらう方法、装置、プログラム、記憶媒体、伝送媒体である。【選択図】    図３
2006284957.tif 000002
【特許請求の範囲】
【請求項１】
コンピュータと画像表示装置と音響再生装置とを含む電子機器を用いて遮音部材の効果を体感可能にする方法であって、
１又は複数の部屋の少なくとも一部が遮音部材で仕切られた住宅の設計プランであって、該住宅の内部又は外部の少なくとも１つの部位に音源の表示が設けられ、かつ、該音源を含む住宅の少なくとも２つの部位に固有音量の音情報が選択可能に関連付けられている住宅の設計プラン、の画像情報にしたがって、該住宅プランを画像表示装置の画面上に表示する画像表示ステップと、
前記固有音量の音情報が関連付けられている部位の選択を入力する入力ステップと、
該固有音量の音情報が関連付けられている部位の選択の有無を判断する判断ステップと、
該固有音量の音情報が関連付けられている部位が選択されたときに、その固有音量の音情報を音響再生装置に送る音情報送信ステップと、
該音情報にしたがって音響再生装置から該固有音量の音を再生させる音響再生ステップと
をコンピュータに実行させることを特徴とする遮音効果体感方法。
【請求項２】
１又は複数の部屋の少なくとも一部が遮音部材で仕切られた住宅の設計プランであって、該住宅の内部又は外部の少なくとも１つの部位に音源の表示が設けられた住宅の設計プラン、の画像情報を記憶する画像情報記憶ステップと、
画面上に表示された前記住宅プランの音源を含む少なくとも２つの部位に固有音量の音情報を選択可能に関連付ける情報を記憶する音情報記憶ステップと、
該住宅プランの画像情報を画像表示装置に送る画像情報送信ステップと、
該固有音量の音情報が関連付けられている部位の選択を入力する入力ステップと、
該固有音量の音情報が関連付けられている部位の選択の有無を判断する判断ステップと、
該固有音量の音情報が関連付けられている部位が選択された場合に、その固有音量の音情報を音響再生装置に送る音情報送信ステップと、
該住宅プラン画像情報にしたがって住宅プランを画像表示装置の画面に表示する画像表示ステップと、
前記音情報にしたがって固有音量の音を音響再生装置で再生させる音響再生ステップと
を、端末コンピュータと画像表示装置と音響再生装置とを含む電子端末機器、及び、該端末コンピュータと電子情報伝送システムで接続されているサーバーコンピュータを用いて実行する方法であって、
前記画像情報記憶ステップと音情報記憶ステップと画像情報送信ステップと判断ステップと音情報送信ステップのうちの少なくとも１つを、前記サーバーコンピュータが実行することを特徴とする電子情報伝送システムを利用した遮音効果体感方法。
【請求項３】
１又は複数の部屋の少なくとも一部が遮音部材で仕切られた住宅の設計プランであって、該住宅の内部又は外部の少なくとも１つの部位に音源の表示が設けられた住宅の設計プラン、の画像情報を記憶する画像情報記憶手段と、
画面上に表示された前記住宅プランの音源を含む住宅の少なくとも２つの部位に固有音量の音情報を選択可能に関連付ける情報を記憶する音情報記憶手段と、
前記住宅プランの画像情報を画像表示装置に送る画像情報送信手段と、
前記固有音量の音情報が関連付けられている部位の選択の有無を判断する判断手段と、
該固有音量の音情報が関連付けられている部位が選択されたときに、その固有音量の音情報を音響再生装置に送る音情報送信手段と
を含むコンピュータ、
画面上に表示された前記住宅プランの固有音量の音情報が選択可能に関連付けられている部位を選択するための入力装置、
前記住宅プラン画像情報にしたがって住宅プランを画面に表示する画像表示装置、及び、
前記音情報にしたがって固有音量の音を再生させる音響再生装置
で構成されている遮音効果体感装置。
【請求項４】
１又は複数の部屋の少なくとも一部が遮音部材で仕切られた住宅の設計プランであって、該住宅の内部又は外部の少なくとも１つの部位に音源の表示が設けられた住宅の設計プラン、の画像情報を記憶する画像情報記憶ステップと、
画面上に表示された前記住宅プランの音源を含む少なくとも２つの部位に固有音量の音情報を選択可能に関連付ける情報を記憶する音情報記憶ステップと、
該固有音量の音情報が関連付けられている部位の選択の有無を判断する判断ステップと、
前記固有音量の音情報が関連付けられている部位が選択されたと判断したときに、選択された固有音量の音情報を音響再生装置に送る音情報送信ステップと、
該音情報にしたがって音響再生装置から前記固有音量の音を再生させる音響再生ステップと
をコンピュータに実行させる遮音効果体感プログラム。
【請求項５】
請求項４に記載のプログラムの少なくとも１つのステップがコンピュータに読み取り可能に記録されている記録媒体。
【請求項６】
請求項４に記載のプログラムの少なくとも１つのステップをコンピュータに読み取り可能に伝送する伝送媒体。
【発明の詳細な説明】
【技術分野】
【０００１】
本発明は、遮音材の遮音効果をパソコン等のコンピュータを使用して体感してもらうのに用いられる、遮音効果体感の方法、装置、プログラム、記憶媒体及び伝送媒体に関する。
【背景技術】
【０００２】
音に敏感になった昨今、住宅の新築又は改築の際に、防音や遮音に関するユーザーの要求は年々高くなっており、それを実現するための遮音材も種々開発されてきているが、実際の住宅において、それらの遮音材がどのように音を遮断するのかは、遮音材やその性能の数値を見ただけでは判断が難しく、そのため、ユーザーが遮音部材の選択に踏み切れない場合が多い。
【０００３】
そのため、最近、住宅関係の展示場などでは、パソコンを利用しパソコンの画面上で遮音部材の遮音効果を音で体感できるようにする方法が用いられている。この方法は、図５に示すように、１つのモニター画面６０上に、複数の音源６１ａ〜６１ｃと、適用する部位（壁や床）６２の仕切り材の材質の種類（一般材や遮音材）６３ａ、６３ｂとが、ポインター６４で選択可能に配置されており、それぞれの部位をクリックすると、選択されたものについての音がスピーカー６５から再生されるというものである。例えば、ピアノ音源６１ａをクリックすると、仕切り材を通さない生のピアノの音がスピーカー６５から再生され、適用部位を壁６２とし一般材６３ａをクリックしたときは、一般材を通したときのピアノの音が再生され、遮音材６３ｂをクリックしたときは、遮音材６３ｂを通して減音されたピアノの音がスピーカー６５から再生される。
【発明の開示】
【発明が解決しようとする課題】
【０００４】
しかしながら、上記の体感方法は、例えば「部屋にピアノを置いた場合、隣室ではどれだけの大きさの音になるのか。」、「子供部屋と主寝室が隣接している場合、子供部屋のテレビの音は主寝室ではどのように聞こえるのか。」といった疑問に直接的に答えてくれるものではなく、そのような疑問に対する答えを見出すのに、ユーザーは大きな精神的ストレスを感じ、その場を離れてしまいやすいという問題がある。
【０００５】
本発明は、上記のような従来の問題点に鑑み、知りたい遮音効果をユーザーにストレスを感じさせることなく直感的にわかりやすく体感してもらうことができる、遮音効果体感の方法、装置、プログラム、記憶媒体及び伝送媒体を提供することを課題とする。
【課題を解決するための手段】
【０００６】
上記の課題は、コンピュータと画像表示装置と音響再生装置とを含む電子機器を用いて遮音部材の効果を体感可能にする方法であって、
１又は複数の部屋の少なくとも一部が遮音部材で仕切られた住宅の設計プランであって、該住宅の内部又は外部の少なくとも１つの部位に音源の表示が設けられ、かつ、該音源を含む住宅の少なくとも２つの部位に固有音量の音情報が選択可能に関連付けられている住宅の設計プラン、の画像情報にしたがって、該住宅プランを画像表示装置の画面上に表示する画像表示ステップと、
前記固有音量の音情報が関連付けられている部位の選択を入力する入力ステップと、
該固有音量の音情報が関連付けられている部位の選択の有無を判断する判断ステップと、
該固有音量の音情報が関連付けられている部位が選択されたときに、その固有音量の音情報を音響再生装置に送る音情報送信ステップと、
該音情報にしたがって音響再生装置から該固有音量の音を再生させる音響再生ステップと
をコンピュータに実行させることを特徴とする遮音効果体感方法（第１発明）によって解決される。
【０００７】
該第１発明の方法は、基本的に１台のコンピュータで実施できる方法である。これに対し、遮音効果体感方法を、インターネットやＬＡＮなどの電子情報伝送システムを利用し、サーバーコンピュータと１台又は複数の端末コンピュータを利用して行うようにするのもよい。
【０００８】
即ち、上記の課題は、１又は複数の部屋の少なくとも一部が遮音部材で仕切られた住宅の設計プランであって、該住宅の内部又は外部の少なくとも１つの部位に音源の表示が設けられた住宅の設計プラン、の画像情報を記憶する画像情報記憶ステップと、
画面上に表示された前記住宅プランの音源を含む少なくとも２つの部位に固有音量の音情報を選択可能に関連付ける情報を記憶する音情報記憶ステップと、
該住宅プランの画像情報を画像表示装置に送る画像情報送信ステップと、
該固有音量の音情報が関連付けられている部位の選択を入力する入力ステップと、
該固有音量の音情報が関連付けられている部位の選択の有無を判断する判断ステップと、
該固有音量の音情報が関連付けられている部位が選択された場合に、その固有音量の音情報を音響再生装置に送る音情報送信ステップと、
該住宅プラン画像情報にしたがって住宅プランを画像表示装置の画面に表示する画像表示ステップと、
前記音情報にしたがって固有音量の音を音響再生装置で再生させる音響再生ステップと
を、端末コンピュータと画像表示装置と音響再生装置とを含む電子端末機器、及び、該端末コンピュータと電子情報伝送システムで接続されているサーバーコンピュータを用いて実行する方法であって、
前記画像情報記憶ステップと音情報記憶ステップと画像情報送信ステップと判断ステップと音情報送信ステップのうちの少なくとも１つを、前記サーバーコンピュータが実行することを特徴とする電子情報伝送システムを利用した遮音効果体感方法（第２発明）によっても解決される。
【０００９】
かかる電子情報伝送システムを利用した遮音効果体感方法によれば、住宅プラン画像情報や音情報を多量に利用でき、また、それらの更新も容易であり、多様なユーザーのニーズに対応できる。しかも、電子情報伝送システムが利用できる環境であれば実施場所は問わず、従って、提供する側の手間を少なくしつつ、多くのユーザーに体感を行ってもらうことができる。
【００１０】
また、これらの方法を実行するための遮音効果体感装置としては、１又は複数の部屋の少なくとも一部が遮音部材で仕切られた住宅の設計プランであって、該住宅の内部又は外部の少なくとも１つの部位に音源の表示が設けられた住宅の設計プラン、の画像情報を記憶する画像情報記憶手段と、
画面上に表示された前記住宅プランの音源を含む住宅の少なくとも２つの部位に固有音量の音情報を選択可能に関連付ける情報を記憶する音情報記憶手段と、
前記住宅プランの画像情報を画像表示装置に送る画像情報送信手段と、
前記固有音量の音情報が関連付けられている部位の選択の有無を判断する判断手段と、
該固有音量の音情報が関連付けられている部位が選択されたときに、その固有音量の音情報を音響再生装置に送る音情報送信手段と
を含むコンピュータ、
画面上に表示された前記住宅プランの固有音量の音情報が選択可能に関連付けられている部位を選択するための入力装置、
前記住宅プラン画像情報にしたがって住宅プランを画面に表示する画像表示装置、及び、
前記音情報にしたがって固有音量の音を再生させる音響再生装置
で構成されている遮音効果体感装置（第３発明）を挙げることができる。
【００１１】
また、本発明の方法を実行させるためのプログラムとしては、１又は複数の部屋の少なくとも一部が遮音部材で仕切られた住宅の設計プランであって、該住宅の内部又は外部の少なくとも１つの部位に音源の表示が設けられた住宅の設計プラン、の画像情報を記憶する画像情報記憶ステップと、
画面上に表示された前記住宅プランの音源を含む少なくとも２つの部位に固有音量の音情報を選択可能に関連付ける情報を記憶する音情報記憶ステップと、
該固有音量の音情報が関連付けられている部位の選択の有無を判断する判断ステップと、
前記固有音量の音情報が関連付けられている部位が選択されたと判断したときに、選択された固有音量の音情報を音響再生装置に送る音情報送信ステップと、
該音情報にしたがって音響再生装置から前記固有音量の音を再生させる音響再生ステップと
をコンピュータに実行させる遮音効果体感プログラム（第４発明）を挙げることができる。
【００１２】
更にまた、本発明は、第４発明のプログラムの少なくとも１つのステップがコンピュータに読み取り可能に記録されている記録媒体（第５発明）、及び、第４発明のプログラムの少なくとも１つのステップをコンピュータに読み取り可能に伝送する伝送媒体（第６発明）も含む。
【００１３】
記録される、又は、伝送されるプログラムの少なくとも１つのステップには、実行プログラム以外にもコンピュータに読み取り可能な形での住宅プランの静止画、動画等による情報や、音情報、遮音部材の種類などのデータベース、及び、それらを読み出すステップなどの事項が含まれる。
【００１４】
記録媒体の場合は持ち運びが容易であり、電子情報の変質も抑えられ、電子情報伝送システムが利用できない場所や限定的な利用や頒布が望まれるユーザーのコンピュータにインストールする場合に有利である。
【００１５】
伝送媒体の場合は、住宅プラン画像情報や音情報を多量に利用でき、また、それらの更新も容易であり、多様なユーザーのニーズに対応できる。しかも、電子情報伝送システムが利用できる環境であれば、実施場所は問わず、従って、提供する側の手間を少なくしつつ、多くのユーザーに体感を行ってもらうことができる点で有利である。
【００１６】
本発明の体感方法を実現するための装置（第３発明）は、図１（イ）の機能ブロック図に示すように、前記画像情報記憶手段５、音情報記憶手段６、画像情報送信手段７、判断手段８及び音響情報送信手段９を含むコンピュータ１、入力装置２、画像表示装置３、並びに音響再生装置４からなる。
【００１７】
これらの手段等の機能は、図１（ロ）の回路ブロック図に示すハードウェアで実現することができる。１０は中央処理装置（ＣＰＵ）であり、該中央処理装置１０は、画像情報送信手段７と、判断手段８と、音響情報送信手段９とを実現するハードウェアである。これら各手段を実行するために必要な電子情報、例えば画像情報や音情報のデータベース、プログラム等は記憶装置１１に格納され、該記憶装置１１は、データバス１２を介して、中央処理装置１０と接続されている。また、データバス１２には、入力装置２と、画像表示装置３と、音響再生装置４とが接続されており、更に、インターネット網やＬＡＮ等を介して他のコンピュータとデータの送受信をする場合は通信部１３が、また、データの読み取りをＣＤ−ＲＯＭやＤＶＤ等の可搬性の記録媒体から読み取る場合は読取部１４が追加で接続される。
【００１８】
図１に示す機能を図２のハードウェアで実行させるための処理手順は、図示はしないが、まず、記録媒体から読取部１４により、実行プログラムと、１つ又は複数の住宅プラン画像情報と、音情報とを、記憶装置１１に格納する（ステップＳ１）。これらの電子情報が予め記憶装置１１に格納されている場合は、このステップは省略されてよい。
【００１９】
次いで、住宅プランの画像情報を、ユーザーの選択にしたがって、画像表示装置３に表示する（ステップＳ２）。
【００２０】
そして、ユーザーが、画像表示装置上に選択可能に表示されている部位の一つを入力装置２により選択する（ステップＳ３）と、選択された部位をＣＰＵ１０で判断し（ステップＳ４）、選択された部位に対応する音情報を記憶装置１１から引き出し（ステップＳ５）、選択された部位の音情報を音響再生装置４で再生する（ステップＳ６）。
【００２１】
ユーザーが他の部位での遮音効果を知りたいときは、再度Ｓ３から進めればよく、別の住宅プランの遮音効果を体感したい場合はＳ１又はＳ２から再度実行すればよい。かかる装置によれば、住宅プランが画像として表示された画面を選択しながら、知りたい場所での音響を再生でき、遮音効果を視覚と聴覚の両方の感覚でリアルにわかりやすく体感することができる。なお、画像表示装置に表示する住宅プランは、平面図でも立面図でも、アイソメ図、３Ｄイメージ図でもよい。
【００２２】
電子情報伝送システムを利用する体感方法（第２発明）を、インターネットに代表させて説明すると、図２に示すように、サーバーコンピュータ２１がインターネット網２０を介して端末コンピュータ２２と接続されている。サーバーコンピュータ２１は、図１に示す前記画像情報記憶手段５と、音情報記憶手段６と、画像情報送信手段７と、判断手段８と、音響情報送信手段９のうちの少なくとも１つの手段を有しており、端末コンピュータ２２から送信されてくる電子情報にしたがって、それらの手段に対応したステップを実行し、その結果をインターネット網２０を介して端末コンピュータ２２に送信し、端末コンピュータ２２に接続されている画像表示装置３と音響再生装置４に出力させる。
【００２３】
なお、この電子情報伝送システムを利用する体感方法では、特に、部屋の配置や、仕切りの種類、音源の種類などの、住宅プランや音情報のデータベースを、大記憶容量で高速処理が可能なサーバーコンピュータで格納、処理するのが好ましい。
【発明の効果】
【００２４】
本発明によれば、遮音部材の遮音効果を住宅プランに即して視覚と聴覚の両方でリアルに体感してもらうことができるようになされているので、知りたい遮音効果をユーザーにストレスを感じさせることなく直感的にわかりやすく体感してもらうことができる。
【発明を実施するための最良の形態】
【００２５】
次に、本発明の実施最良形態を図面に基づいて説明する。
【００２６】
図３に示す第１実施形態は、「部屋にピアノを置いて音を鳴らした場合に、隣室ではどの程度の音になるか。」というユーザーの希望を体感してもらうためのもので、同図には、住宅プランをモニター３０に表示している状況が示されている。
【００２７】
この住宅プランでは、中央にピアノ３１を置いた部屋３２があり、一般の間仕切壁３３で仕切られた隣室３４と、遮音性の間仕切壁３５で仕切られた隣室３６とが配置されている。また、ドアの遮音効果を体感してもらうため、ピアノ室３２には、通常のドア３７と遮音性のドア３８が配置されており、また、遮音性ドア３８から廊下３９を隔てた部屋４０の音も体感できるようにされている。更に、窓の遮音効果を体感してもらうため、ピアノ室３２には、通常のガラス窓４１と遮音性の２重窓４２が設けられている。もちろん、部屋数や配置、仕切りの種類や数は増減可能である。
【００２８】
そして、ピアノ室３２には、ピアノ３１の音源を示すスピーカーマーク３２ａが表示され、各部屋にもスピーカーマーク３３ａ、３５ａ、３７ａ、３８ａ、４０ａ、４１ａ、４２ａが表示されている。これらのスピーカーマークは、間仕切壁、ドア、窓、廊下を通した音に対応した音を再生するため、一般の材料や遮音材の遮音性能から予め求められた音量の音情報に関連付けられており、ポインター４３で画面上にて選択可能に設定されている。
【００２９】
画像表示ステップは、上記の住宅プランをモニター３０に表示するステップであり、画像表示装置であるモニターは、ＣＲＴでも液晶表示装置でもよい。
【００３０】
次に、選択ステップでは、ユーザーが体感したい場所のスピーカーマークを選択する。選択は、マウスやキーボードの操作でポインター４３を移動させてクリックすればよい。
【００３１】
例えば、ピアノ室３２のスピーカーマーク３２ａが選択された場合、その選択をコンピュータで判断し（判断ステップ）、ピアノ３１の生の音に対応した音情報をコンピュータに内蔵されているか、外付けされているスピーカーに送信し（音情報送信ステップ）、スピーカーでピアノ３１の生の音を再生する。音を再生する音響再生装置は、スピーカーに限らず、ヘッドフォンなどであってもよい。
【００３２】
ユーザーが一般の間仕切壁３３の遮音性を知りたい場合は、隣室３４に配置されたスピーカーマーク３３ａをクリックすると、一般の間仕切壁３３を通して聞こえるピアノの音が再生され、更に、遮音性の間仕切壁３５の遮音効果と比較したい場合は、隣室３６のスピーカーマーク３５ａをクリックすれば、遮音性の間仕切壁３５を通して減音された音が再生され、それらの比較を行うことができる。
【００３３】
図４に示す第２実施形態は、「子供部屋と主寝室が隣接している場合、子供部屋のテレビの音は、主寝室ではどのように聞こえるのか。」といった隣室からの音を遮断する場合についてのものである。
【００３４】
本実施形態の住宅プランでは、中央に主寝室５０があり、一般の間仕切壁５１で仕切られた隣室５２と、遮音性の間仕切壁５３で仕切られた隣室５４と、収納間仕切り壁５５を隔てた部屋５６とについて、音を比較して体感できるようになされている。もちろん、部屋数や配置、パーティションの種類や数は増減可能である。
【００３５】
そして、隣室５２、５４、５６にはそれぞれ、テレビ５７の音源を示すスピーカーマーク５２ａ、５４ａ、５６ａが表示されていると共に、主寝室５０に各部屋５２、５４、５６から伝わる音を表示するためのスピーカーマーク５２ｂ、５４ｂ及び５６ｂが表示されている。これらのスピーカーマークは、間仕切壁を通した音に対応する音を再生するため、一般材料や遮音材の遮音性能から予め求められた音量の音情報に関連付けられており、モニター５８の画面上でポインター５７にて選択可能に設定されている。
【００３６】
この場合でも、ユーザーが一般の間仕切壁５１の遮音性を知りたいときは、隣室５２に配置されたスピーカーマーク５２ａをクリックすると、隣室５２のテレビ５７の音がそのまま再生され、主寝室５０で一般の間仕切壁５１を通して聞こえるピアノの音を知りたいときは、スピーカーマーク５２ｂをクリックすればよい。更に、遮音性の収納壁５５の遮音効果と比較したいときは、主寝室５０のスピーカーマーク５６ｂをクリックすれば、収納５５を通して減音された音が再現される。
【００３７】
このようにユーザーが希望する場所のスピーカーマークを選択することで、一般の間仕切壁、窓、ドアを介した場合の音と遮音性の間仕切壁、窓、ドア、廊下、クローゼット、更には２階建以上では床を介した場合の音を比較でき、住宅プランを視覚的にイメージしながら実際の音としてリアルに体感することができる。
【００３８】
以上に、本発明の実施形態を示したが、本発明はこれに限られるものではなく、発明思想を逸脱しない範囲で各種の変更が可能である。例えば、本発明においては、各部屋にイメージ画像や動画を選択可能に関連付け、予め又は選択されることにより、モニターに表示するようにしてもよい。
【００３９】
また、スピーカーマークを表示せずに、各部屋の一部又は全部を選択可能部位として、部屋の一部をクリックすることで、音を再生するようにしてもよいし、音源についても、ピアノやテレビに限らず、オーディオ、カラオケ、交通騒音、子供やペットの声など、ユーザーの希望の音源を選択できるようにしてもよいし、スピーカーマークなどの選択の入力方法として、画像表示装置であるモニター自体をタッチパネルにして指で選択するようにしたり、専用の選択用ボードを接続するようにするのもよい。
【００４０】
また、間仕切壁などのパーティション自体を一般の部材部分と遮音性の部材の部分に分け、それぞれに対応したスピーカーマークを表示する。これにより、部屋数を減らしたり、住宅プランを多様化したりできる。
【００４１】
更に、間仕切壁などの仕切り自体を一般部材や各種遮音性部材に選択できるようにし、それぞれの部材に対応した部材選択ボタンをモニター画面に表示し、部材選択ボタンの選択により対応した音を再生するのもよく、その場合には、遮音性のパーティションの選択肢を多様化できるほか、住宅プランを多様化できたり、コストとの対比も可能になる。
【図面の簡単な説明】
【００４２】
【図１】図（イ）は本発明装置の一例を示す機能ブロック図、図（ロ）は同回路ブロック図である。
【図２】電子情報伝送システムを利用した場合の一例を示す説明図である。
【図３】本発明の第１実施形態を示すもので、モニター画面の図である。
【図４】第２実施形態を示すもので、モニター画面の図である。
【図５】従来の遮音効果体感方法を説明するためのモニター表示の概念図である。
【符号の説明】
【００４３】
２…入力装置
３…画像表示装置
４…音響再生装置
５…画像情報記憶手段
６…音情報記憶手段
７…画像情報送信手段
８…判断手段
９…音響情報送信手段
１０…中央処理装置
１１…記憶装置
２０…インターネット（電子情報伝送システム）
２１…サーバーコンピュータ
２２…端末コンピュータ
【図１】
2006284957.tif 000003
【図２】
2006284957.tif 000004
【図３】
2006284957.tif 000005
【図４】
2006284957.tif 000006
【図５】
2006284957.tif 000007